(57)【要約】【解決手段】  電気導体を有するフレックスケーブルと、このフレックスケーブルの導体に接続された複数の絶縁排除接続（ＩＤＣ）端子とを有する電気配線ハーネス組立。このＩＤＣ端子は、それぞれ、ベース区分と、このベース区分に接続され、絶縁排除スロットを有するワイヤ絶縁排除区分と、前記導体を通して延び、前記ベース区分から前記フレックスケーブルの対向側に外方に変形されるベース区分から延びる歯のセットとを有する。このＩＤＣ端子は、電気ワイヤを直接フレックスケーブルの導体に接続するように適合されている。
2006508513.tif 000002
【特許請求の範囲】
【請求項１】
電気導体を有するフレックスケーブルと、このフレックスケーブルの導体に接続された複数の絶縁排除接続（ＩＤＣ）端子であって、このＩＤＣ端子はそれぞれ、ベース区分と、このベース区分に接続され絶縁排除スロットを有するワイヤ絶縁排除区分と、前記導体を介して延び前記ベース区分から前記フレックスケーブルの対向側において外方に変形される前記ベース区分から延びる歯のセットとを有してなり、前記ＩＤＣ端子は、電気ワイヤを直接前記フレックスケーブルの導体に接続するようにされる電気配線ハーネス組立。
【請求項２】
さらに、他のフレックスケーブルに取り付けられるようにされる前記電気導体に接続される圧着端子を有する前記請求項１記載の電気配線ハーネス組立。
【請求項３】
さらに、前記電気導体に接続される電気コネクタを有する前記請求項１記載の電気配線ハーネス組立。
【請求項４】
歯の各セットが大体の円内に配置され、その円に関して外方に放射状に変形される前記請求項１記載の電気配線ハーネス組立。
【請求項５】
前記ＩＤＣ端子はそれぞれ、前記ベース区分から第１の方向に延びる前記ワイヤ絶縁区分を有する打抜きフラットメタル部材と、前記ベース区分から対向する第２の方向に延びる歯のセットとを有する前記請求項１記載の電気配線ハーネス組立。
【請求項６】
さらに、前記フレックスケーブルに直接接続される電力接点を有し、この電力接点は、前記フレックスケーブルの電気導体に電気的に接続される前記請求項１記載の電気配線ハーネス組立。
【請求項７】
さらに、前記フレックスケーブルおよび前記ＩＤＣ端子の一部分における重ね形成されたハウジングを有する前記請求項１記載の電気配線ハーネス組立。
【請求項８】
さらに、前記重ね成形されたハウジングに設置されるハウジングカバースナップロックを有する前記請求項７記載の電気配線ハーネス組立。
【請求項９】
前記ハウジングカバーは、このハウジングカバーと前記溝内における重ね形成されたハウジングとの間の前記電気ワイヤを捕捉するための前記溝を具備する側壁を有する前記請求項８記載の電気配線ハーネス組立。
【請求項１０】
さらに、前記フレックスケーブルに直接接続される電力接点を有してなり、この電力接点は、前記フレックスケーブルの電気導体に電気的に接続され、さらに前記重ね成形されたハウジングは、電力接点を取り囲む電気コネクタ受入領域を形成する前記請求項７記載の電気配線ハーネス組立。
【請求項１１】
電気導体を有するフレックスケーブルと、このフレックスケーブルに直接取り付けられる複数の絶縁排除接続（ＩＤＣ）端子であって、このＩＤＣ端子は、絶縁排除スロット内でそれに電気ワイヤを接続させるようにしたものと、前記フレックスケーブルおよび前記ＩＤＣ端子の一部分に重ね成形されたハウジングと、前記ケーブルの端部で前記フレックスケーブルに直接接続された電力接点であって、この電力接点は、前記フレックスケーブルの導体に電気的に接続され、さらに前記ハウジングは、前記電力接点を取り囲む受入領域を形成して、前記電力接点と結合するための電気コネクタを受入れる電気配線ハーネス組立。
【請求項１２】
さらに、他のフレックスケーブルに取り付けられるようにされる電気導体に接続された圧着端子を有する前記請求項１１記載の電気配線ハーネス組立。
【請求項１３】
さらに、前記電力接点から離間し、かつ前記電気導体に接続された電気コネクタを有する前記請求項１１記載の電気配線ハーネス組立。
【請求項１４】
前記ＩＤＣ端子は、それぞれ、前記導体を介して延び、前記ベース区分から前記フレックスケーブルの対向側において外方に変形される前記ＩＤＣ端子のベース区分から延びる歯のセットを有し、前記それぞれの歯のセットは、大体の円内に配置され、その円に関して外方に放射状に変形される前記請求項１１記載の電気配線ハーネス組立。
【請求項１５】
前記ＩＤＣ端子はそれぞれ、ベース区分から第１の方向に延びる前記絶縁排除スロットを有するワイヤ絶縁区分を有する打抜きフラットメタル部材と、前記ベース区分から対向する第２の方向に延びる歯のセットとを有する前記請求項１１記載の電気配線ハーネス組立。
【請求項１６】
さらに、前記重ね成形されたハウジングに設けられたハウジングカバースナップロックを有する前記請求項１１記載の電気配線ハーネス組立。
【請求項１７】
前記ハウジングカバーは、前記ハウジングカバーと前記溝内の重ね成形されたハウジングとの間に前記電気ワイヤを捕捉するための溝を有する側壁を備える前記請求項１６記載の電気配線ハーネス組立。
【請求項１８】
絶縁排除接続（ＩＤＣ）端子を直接フレックスケーブルに接続すること、および、電力接点を直接前記フレックスケーブルに接続すること、のステップを有してなり、前記ＩＤＣ端子および前記電力端子は、それぞれ、前記フレックスケーブルの導体によって接続され、さらにＩＤＣ端子および電力接点は、それぞれ、前記フレックスケーブルを介して延び、さらに前記ＩＤＣ端子および前記電力端子を、外方に変形して、前記フレックスケーブルに取り付ける歯のセットを有する電気配線ハーネス組立を組立てる方法。
【請求項１９】
歯の各セットは、大体の円形内に配置され、その円に関して外方に放射状に変形される前記請求項１８記載の方法。
【請求項２０】
さらに、前記フレックスケーブルを他のフレックスケーブルに接続することを有する前記請求項１８記載の方法。
【請求項２１】
前記フレックスケーブルを他のフレックスケーブルに接続するステップは、圧着端子を前記フレックスケーブルに取り付けることを有してなり、その圧着端子は、それぞれ前記フレックスケーブルを介して延び、さらに外方に変形して、その圧着端子をそのフレックスケーブルに取り付ける歯のセットを有する前記請求項２０記載の方法。
【請求項２２】
前記フレックスケーブルを他のフレックスケーブルに接続するステップは、離脱可能な電気コネクタによって相互にフレックスケーブルを取り付けることを有する前記請求項２０記載の方法。
【請求項２３】
さらに、前記ＩＤＣ端子の絶縁排除スロット内に前記ワイヤを挿入することによって電気ワイヤを前記フレックスケーブルに接続することを有する前記請求項１８記載の方法。
【請求項２４】
さらに、前記フレックスケーブルの一部分に対し、かつ、ＩＤＣ端子と電力接点との一部分の周りに、ハウジングを重ね成形することを有する前記請求項１８記載の方法。
【請求項２５】
さらに、ハウジングカバーを前記重ね成形されたハウジングに取り付けるスナップロックを有し、前記ハウジングカバーは、このハウジングカバーと前記溝内の重ね成形されたハウジングとの間の前記ＩＤＣ端子に接続される電気ワイヤを捕捉するための溝を有する側壁を具備する前記請求項２４記載の方法。
【請求項２６】
ベース区分と、このベース区分から延びるワイヤ接続区分であって、このワイヤ接続区分は絶縁排除スロットを有するものと、前記ベース区分から延びるフレックスケーブル接続区分であって、このフレックスケーブル接続区分はそれぞれ、フレックスケーブルの電気導体を介して貫通するようにされ、前記電気導体と電気接続し、外方に変形されて前記ＩＤＣ端子を前記フレックスケーブルに物理的に設置するための前記歯と前記ベース区分との間に前記フレックスケーブルの一部分を捕捉する導体貫通歯のセットを有するものとを有する絶縁排除接続（ＩＤＣ）端子。
【請求項２７】
歯の各セットは、大体の円内に配置され、その円に関して外方に放射状に変形される前記請求項２６記載の絶縁排除接続（ＩＤＣ）端子。
【請求項２８】
前記ＩＤＣ端子はそれぞれ、ベース区分から第１の方向に延びる前記ワイヤ接続区分を有する打抜きフラットメタル部材と、前記ベース区分から対向する第２の方向に延びる歯のセットとを有する前記請求項２６記載の絶縁排除接続（ＩＤＣ）端子。
【発明の詳細な説明】
【技術分野】
【０００１】
この発明は、電気配線ハーネスに関し、さらに特別には、フレックスケーブルと絶縁排除接続（ＩＤＣ）端子とを有する電気配線ハーネスに関する。
【背景技術】
【０００２】
フレキシブルなフラット導体ケーブル（ＦＦＣ）またはフレキシブルな印刷回路ケーブル（ＦＰＣ）は、一般に当技術分野でよく周知である。米国特許第４７４９３６８号は、フレックスケーブルに取り付けることができる接点ストリップ端子を開示している。米国特許第６２７３４９９号は、フレキシブルな印刷回路を有する車両のヘッドライナーを開示している。
【発明の開示】
【発明が解決しようとする課題】
【０００３】
自動車のオーバーヘッドセンターコンソールは、増加した電子接点を経験している。この電子接点が増加するにつれて、電子回路の数が増加する。カーテシランプ回路のような比較的に長いの回路のためのより一層経済的な個別のワイヤを使用できる能力を維持する一方で、スペースをセーブする自動車のオーバーヘッドコンソールにおける回路を提供するよう要望がある。
【課題を解決するための手段】
【０００４】
この発明の一概念によれば、電気配線ハーネス組立は、電気導体を有するフレックスケーブルと、このフレックスケーブルの導体に接続された複数の絶縁排除接点（ＩＤＣ）端子とを備えている。このＩＤＣ端子は、それぞれベース区分と、このベース区分に接続され、絶縁排除スロットを有するワイヤ絶縁排除区分と、前記導体を通して延び、前記ベース区分から前記フレックスケーブルの対向側で外方に変形される歯のセットとを有する。このＩＤＣ端子は、フレックスケーブルの導体に直接電気ワイヤを接続するようにされている。
【０００５】
この発明の他の概念によれば、電気配線ハーネス組立は、電気導体を有するフレックスケーブルと、このフレックスケーブルに直接取り付けられた複数の絶縁排除接点（ＩＤＣ）端子とを備えている。このＩＤＣ端子は、電気ワイヤを絶縁排除スロット内でそれに接続するようにされている。組立はまた、フレックスケーブルの一部分とＩＤＣ端子とに重ね成形されている重ね成形ハウジングと、ケーブルの端部でフレックスケーブルに直接接続された電力接点とを有する。この電力接点は、フレックスケーブルの導体に電気的に接続される。このハウジングは、この電力接点の周囲の受入れ領域を形成して、電力接点と結合するための電気コネクタを受入れる。
【０００６】
この発明の１つの方法によれば、電気配線ハーネス組立は、フレックスケーブルに直接絶縁排除接続（ＩＤＳ）端子を接続することと、フレックスケーブルに直接電力接点を接続することとのステップを有する。ＩＤＣ端子および電力端子は、フレックスケーブルの導体によって接続される。ＩＤＣ端子および電力接点は、それぞれ、フレックスケーブルを通して延び、外方に変形してＩＤＣ端子および電力端子をフレックスケーブルに取り付ける歯のセットを有する。
【０００７】
この発明の他の概念によれば、絶縁排除接続（ＩＤＣ）端子は、ベース区分と、このベース区分から延びるワイヤ接続区分と、ベース区分から延びるフレックスケーブル接続区分とを有する。ワイヤ接続区分は、絶縁排除スロットを有する。フレックスケーブル接続区分は、それぞれ、フレックスケーブルの電気導体を通して貫通するようにされ、ＩＤＣ端子をフレックスケーブルに物理的に設置するために、外方に変形して、歯とベース区分との間にフレックスケーブルの一部分を捕捉する導体貫通歯のセットを有する。
【０００８】
この発明の前述の概念やその他の特徴は、付属の図面と関連してなされる以下に続く記述の中で説明される。
【発明の効果】
【０００９】
この発明の利点は、以下のとおりである。
【００１０】
・低い工作機械器具設備コスト。組立の回路用にＦＰＣを使用することが、大型の前進ダイの必要性を排除する。
【００１１】
・調節能力。大型の打抜きダイが要求されるので、この接続組立は、多様な回路要求に対応するように調整することができる。
【００１２】
・小形。本体は、ＦＴＣと端子とに重ね成形される。このことは、組立の寸法を減少する。
【００１３】
・低コスト。設計の単純性および低い設備機械器具コストが組立の単価を減少する。
【発明を実施するための最良の形態】
【００１４】
この発明は、主として自動車のヘッドライナー配線ハーネスを車体の配線ハーネスに接続することを意図してなされた接続組立を得るためである。この接続組立は、個別のワイヤを、フラットフレキシブルケーブル（ＦＦＣ）に、またはフレキシブル印刷回路（ＦＰＣ）に、組み合された絶縁排除圧着（ＩＤＣ）の、星形圧着端子を介して、相互に接続する付加的な機能を有するものである。
【００１５】
この発明は、比較的長いカーテシランプ回路用のより一層経済的な個別のワイヤを使用できる能力を維持しながら、スペースをセーブするためにフラットフレックス技術を使用して、オーバーヘッドコンソールにおける回路を製造する手段を提供する。この発明は、ＦＰＣを使用して、多様な電気インターフェースを相互に接続することができる。ＩＤＣ対ＦＰＣインターフェースは、星形圧着技術を使用してそれをＦＰＣに終端する打抜き端子を経由して達成される。
【００１６】
この発明の利点は、低い設備機械器具コスト、調整能力、小形、低コストを有する。低い設備機械器具コストに関しては、組立の回路用にＦＰＣを使用することは、大形の前進ダイ用の必要性を排除する。調整能力に関しては、大形の打抜きダイが必要とされないから、接続組立は調整されて、多様な回路の要求に適応できるようにされる。小形に関しては、主本体は、ＦＴＣおよび端子に重ね成形される。このことは、組立の寸法を減少する。低コストに関しては、設計の単純化および低い設備機械器具コストは、組立の単位価格を減少する。
【００１７】
図１を参照して、この発明の特徴を具体化する電気配線ハーネス組立１２を有する自動車のヘッドライナー１０の斜視図が示されている。この発明は、図に示された代表的な実施例に関して説明されているけれども、この発明は、実施例の多くの相違する形状において実現できることを理解すべきである。さらに、あらゆる適切な寸法、形状またはタイプの部品または材料を使用し得る。
【００１８】
ヘッドライナー１０は、通常、数枚の繊維材料から製造される。このヘッドライナー１０は、オーバーヘッドカーテシライト１４、１５、および１６を受入れる予定の開口を有する。ヘッドライナー１０の前部は、メインオーバーヘッドコンソール１８を受けるようにされる。このオーバーヘッドコンソール１８は、例えば、カーテシライト、サンルーフ制御、およびガレージドア開放制御のような機能を有することができる。この組立はまた、１４、１５、１６のカーテシライトに接続された個別の電気ワイヤのグループ２０、２１、２２を有する。個別の電気ワイヤは、ライト１４、１５、１６に電気を供給できる。ヘッドライナ１０、カーテシライト１４−１６、および個別の電気ワイヤの群２０−２２は、一般にこの技術分野で周知である。異なる実施例において、あらゆる適切なタイプのヘッドライナー、カーテシライト、または個別の電気ワイヤの群を有することができる。
【００１９】
上述したように、図１に示された組立は、電気配線ハーネス組立１２を有する。図２−５をも参照して、配線ハーネス組立１２は、個別の電気ワイヤの群２０−２２に動作可能に接続され、オーバーヘッドセンターコンソール１８に動作可能に接続される。配線ハーネス組立は、通常、ハウジング２４、フレックスケーブル２６、複数の絶縁排除接続（ＩＤＣ）端子２８、電力接点３８、および、圧着端子３２を有する。しかしながら、異なる実施例において、配線ハーネス組立１２は、追加的な、または代りの構成部品を有することができる。
【００２０】
ここで使用されるように、用語「フレックスケーブル」は、フレキシブルなフラット導体ケーブル（ＦＦＣ）、またはフレキシブルな印刷回路ケーブル（ＦＰＣ）を意味する積りである。図示されている実施例において、フレックスケーブル２６は、フレキシブルな印刷回路ケーブルである。フレックスケーブル２６は、フラット電気絶縁によって囲まれる３本のフラット電気導体３４、３５、３６を有する。導体３４、３５、３６は、それぞれ、２つの端部接続領域４０、４２を有する。第１の端部接続領域４０は、それに接続された電力接点３０を有する。第２の端部接続領域４２は、それに接続された圧着端子３２を有する。ＩＤＣ端子２８は、２つの端部接続領域４０、４２間の導体３４、３５、３６に接続される。
【００２１】
この実施例において、３つのＩＤＣ端子２８は、導体３４、３５、３６のそれぞれ１つに接続される。しかしながら、異なる実施例においては、ＩＤＣ端子のあらゆる適切な数が、それぞれ、導体の１つに接続される。各導体のＩＤＣ端子２８は、ワイヤ２３が、図４に示されるように偏倚した平行な近接する通路内において、ＩＤＣ端子に接続することができるように、他の導体におけるＩＤＣ端子から偏倚されている。
【００２２】
図６および７をも参照して、ＩＤＣ端子２８の１つが示されている。各ＩＤＣ端子２８は、好ましくは、打抜きによるように、切断されて、成形されて図示される形状を形成するフラットシートメタルからなる。各ＩＤＣ端子２８は、通常、ベース区分４４、ワイヤ接続区分４６、およびフレックスケーブル接続区分４８を有する。ワイヤ接続区分４６は、ベース区分４４から第１の方向に延びる。各ワイヤ接続区分４６は、絶縁排除スロット５０を有する。このスロット５０は、寸法どりされ、形づくられて、ワイヤ２３の絶縁を通して貫通し、絶縁内部のワイヤ導体と電気接続を形成する。ワイヤ接続区分４６は、通常、相互の鏡像であり、ベース区分４４の対向する横側から延びるが、図示されるとおり、同一の方向に曲げられている。
【００２３】
フレックスケーブル接続区分４８は、ワイヤ絶縁区分４６から第２の対向する方向において、ベース区分４４から延びる。図示された実施例において、ＩＤＣ端子２８は、３つのフレックスケーブル接続区分を有する。しかしながら、異なる実施例では、あらゆる適切な数のフレックスケーブル接続区分を有することができる。各フレックスケーブル接続区分４８は、通常、１セットの導体貫通歯５２を有する。センター穴５４は、歯５２が、切込まれて第２の方向に成形されると、形成される。この歯５２は、フレックスケーブル２６の絶縁３８および電気導体３４、３５、３６を通して貫通するようにされ、電気導体と電気的接続をする。歯５２の各セットは、大体の円形に配置され、穴５４の周囲の円に関して外方に放射状に変形される。この歯５２は、外方に変形されて、ＩＤＣ端子２８をフレックスケーブル２６に物理的に設置するために、歯とベース区分４４との間にフレックスケーブルの一部分を捕捉する。図４を参照して分かるように、群２０、２１、２２のそれぞれにおけるワイヤの１つは、それぞれ、導体３４、３５、３６の１つに接続される。
【００２４】
電力接点３０は、好ましくは打抜かれ、形成されたシートメタルからなる。各電力接点３０は、第１の接続区分７８および第２の接続区分８０を有する。図示された実施例において、第１の接続区分７８は、通常、第２の接続区分８０に直交する。この第１の接続区分７８は、図６に示されるようにフレックスケーブル接続区分４８および歯５２とほぼ同一の歯を貫通する導体を有する６セットのフレックスケーブル接続区分４８を有する。第１の接続区分７８は、物理的にかつ電気的に端部接続領域４０におけるフレックスケーブル２６の端部に取り付けられる。第２の接続区分８０は、結合する電気コネクタ（図示せず）のメス接点内に受入れられるようにされたオス接点柱を有する。
【００２５】
圧着端子３２は、好ましくは、打抜かれ、かつ成形されたシートメタルからなる。圧着端子３２は、機械的に、かつ電気的にフレックスケーブル２６および端部接続領域４２における導体に接続される。各圧着端子３２は、図６に示されるように、フレックスケーブル接続区分４８および歯５２とほぼ同一の導体貫通歯を有する４つのフレックスケーブル接続区分４８を有する。各圧着端子の２つのフレックスケーブル接続区分４８が、導体３４、３５、３６の１つに接続される。各圧着端子における他の２つのフレックスケーブル接続４８は、他のフレックスケーブル（図示せず）に対する接続のために適合される。このように、フレックスケーブル２６は、オーバーヘッドコンソール１８に接続されるフレックスケーブルのような、他のフレックスケーブルに接続される。さらに、フレックスケーブル２６は、ＩＤＣ端子２８におけるワイヤ２３、および電力接点３０における電源からの電気コネクタに電気的に接続される。
【００２６】
図２および３に戻って参照すると、ハウジング２４は、通常、重ね成形されたハウジング５６、およびハウジングカバー５８を有する。ワイヤ２３が、ＩＤＣ端子２８に接続される前に、重ね成形されたハウジング５６は、フレックスケーブル２６に重ね成形される。重ね成形されたハウジング５６は、通常、第１区分６０および第２区分６２を有する。第１区分６０は、電力端子３０の周囲に電気コネクタ受入領域６４を形成する。この受入領域６４は、寸法どりされ形づくられて、電力接点３０を自動車の電源に接続するために電気コネクタを受入れる。このように、これはＩＤＣ端子２８を電源に接続し、ワイヤ２３を電源に接続する。
【００２７】
重ね成形ハウジング５６の第２区分６２は、通常、ＩＤＣ端子サポート６６、スナップロック爪６８、およびワイヤガイド７０を有する。ＩＤＣ端子サポート６６は、ＩＤＣ端子のワイヤ接続区分４６の各１つの脚のために具備される。ワイヤガイド７０は、第２区分６２の外側の横方向端に配置され、ワイヤ２３のための受入るチャンネルを形成する。スナップロック爪６８は、また、第２区分６２の外側の横方向脚に設けられ、ハウジングカバー５８のスナップロック爪７２を受入れるようにされる。
【００２８】
ハウジングカバー５８は、横方向側壁７４に配置されるスナップロック爪７２を有する。側壁７４の底端は、ハウジングカバー５８と溝７６における重ね成形ハウジング５６との間に電気ワイヤ２３を捕捉するための溝７６を有する。この２つのハウジング５６、５８は、このようにワイヤ２３のための歪み逃げを形成することができる。
【００２９】
この発明は、主として、自動車のヘッドライナー配線ハーネスを車体の配線ハーネスに接続することを意図した接続組立のためである。この接続組立は、組み合わされた絶縁排除圧着の（ＩＤＣ）、かつ星形圧着端子を経由して、個別のワイヤをフラットフレキシブルケーブル（ＦＦＣ）またはフレキシブルな印刷回路（ＦＰＣ）に相互に接続するという付加的な機能を有する。車体ハーネスに対する接続組立のインターフェースは、ブラインドメイト（商標）コネクタ幾何学を用いて、達成することができる。
【００３０】
この発明は、比較的長いカーテシランプ回路用のより一層経済的な個別のワイヤを使用できる能力を維持しながら、スペースをセーブするために、オーバーヘッドコンソール内の回路をフラットフレックス技術を使用して製造する手段を提供する。この発明は、ＦＰＣを使用して、多様な電気的インターフェースを相互接続することができる。ＩＤＣ対ＦＰＣインターフェースは、星形圧着技術を利用してそれをＦＰＣに終端する打抜き端子経由で達成される。センターコンソールエレクトロニクスに対する接続組立は、以下の３つの方法の少なくとも１つで操作できる。
【００３１】
相互接続が、４つ星のネットフレックス（商標）圧着端子経由、永久的に達成される、
接続組立が、センターコンソールエレクトロニクスに対する分離可能な相互接続を提供するために、モデュパック（商標）コネクタハーフと結合できる、
または、接続組立用ＦＰＣおよびセンターコンソールエレクトロニクスが、一体の連続する片である。
【００３２】
今度は図８を参照して、第２のフレックスケーブル８２に対するフレックスケーブル２６の接続の概略図が示されている。この第２のフレックスケーブル８２は、フラットな電気絶縁８８によって取り囲まれた３つの電気導体８４、８５、８６を有する。この第２のフレックスケーブル８２は、オーバーヘッドコンソール１８（図１参照）に、動作可能に接続される。圧着端子３２は、フレックスケーブル２６、８２を相互に機械的に接続する。さらに、圧着端子３２は、また、導体３４−３６の各１本を導体８４−８６のそれぞれの１本に接続する。これは、その組立を、上述したセンターコンソールに接続する第１の方法を例証する。
【００３３】
次いで、図９を参照して、その組立をセンターコンソールに接続する第２の方法は、電気コネクタ９０をフレックスケーブル２６の端部に取り付けることを有する。電気コネクタ９０は、オーバーヘッドコンソール１８に接続される、結合する電気コネクタに離脱可能に接続されるようにされる。このように、離脱可能な接続は、オーバーヘッドコンソール１８および配線ハーネス組立の間に備えられる。電気コネクタ９０は、導体３４−３６の各１本に取り付けられた電気接点９２を有する。
【００３４】
さらに図１０を参照して、その組立をセンターコンソールに接続する第３の方法は、ハウジング２４からオーバーヘッドセンターコンソール１８に一体の連続する片として延びるフレックスケーブル２６´を有する。
【００３５】
他の実施例において、ＩＤＣ端子、圧着端子、および電力端子は、あらゆる適切なタイプの形状および接続区分を有することができる。さらに、ハウジングは、また、あらゆる適切なタイプの形状を有するあらゆる適切な数の部材を有することができる。電源およびオーバーヘッドコンソール間のコネクタインターフェースは、また、あらゆる適切なタイプの接続を有することができる。組立のフレックスコネクタは、また、他の構成部品に接続されるようにされる。さらに、配線ハーネス組立に取り付けられる個別の電気ワイヤ２３の数量は、好ましい実施例において示されている、多かれ少なかれ９本である。
【００３６】
前述の説明は、この発明の例証に過ぎない。この発明から逸脱することなく、多様な変更および修正が、当業者によって案出可能である。したがって、この発明は、そのようなあらゆる変更、修正、および付属の請求項に範囲に入る相違を包含することを意図している。
【図面の簡単な説明】
【００３７】
【図１】カーテシライトと、センタオーバーヘッドコンソールと、この発明の特徴を具体化している電気配線ハーネス組立とを有する、自動車のヘッドライナーの斜視図。
【図２】カーテシライトに接続されるワイヤに取り付けられる図１に示される電気配線ハーネス組立の斜視図。
【図３】分解された状態において示されるハウジングのカバーを有する図２に示される電気配線ハーネス組立および重ね成形されたハウジングの切欠いた部分の斜視図。
【図４】フレックスケーブルと、電力接点と、ＩＤＣ接点と、図２および３に示される電気配線ハーネスのワイヤとの平面図。
【図５】フレックスケーブルと、ＩＤＣ接点と、電力接点と、図２および３に示される電気配線ハーネス組立を形成するように前記重ね成形ハウジングの重ね成形前の接続端子とを有する組立の斜視図。
【図６】電気配線ハーネス組立の１つのＩＤＣ端子の斜視図。
【図７】図６に示されるＩＤＣ端子の、反対方向からの斜視図。
【図８】電気配線ハーネス組立と第２のフレックスケーブルとの間の接続の１タイプを示す部分的斜視図。
【図９】電気配線ハーネス組立を前記センタオーバーヘッドコンソールに離脱可能に接続するための接続形状の他のタイプを示す部分的斜視図。
【図１０】単一のフレックスケーブルによってセンタオーバーヘッドコンソールに対する電気配線ハーネス組立の接続形状の他のタイプを示す部分的概略図。
【図１】
2006508513.tif 000003
【図２】
2006508513.tif 000004
【図３】
2006508513.tif 000005
【図４】
2006508513.tif 000006
【図５】
2006508513.tif 000007
【図６】
2006508513.tif 000008
【図７】
2006508513.tif 000009
【図８】
2006508513.tif 000010
【図９】
2006508513.tif 000011
【図１０】
2006508513.tif 000012
【国際調査報告】
2006508513.tif 000013